(57)【要約】【課題】出窓の下方に浴室内に開口する収納部を形成するに当たって、構造が簡略化し、部材点数が少なく、取付け作業が簡略化し、コストが安くなる。【解決手段】浴室出窓５は、外壁側開口部２に取付ける窓枠サッシ６と、該窓枠サッシ６とユニット側開口部４との間に配設される出窓枠７とで構成される。ユニット側開口部４の上端縁、両側縁がそれぞれ外壁側開口部２の上端縁、両側縁にほぼ向かい合って位置し、且つ、ユニット側開口部４の下端縁が外壁側開口部２の下端縁と対向した位置よりも下方にずれて位置する。出窓枠７の下枠８を、該下枠８の主体を構成する出窓カウンター部９の下面側に浴室ユニット３内に開口する収納部１０を一体に形成することで構成し、ユニット側開口部４の下縁部に上記収納部１０の浴室側開口の下縁部が位置している。【選択図】        図１
2011006930.tif 000002
【特許請求の範囲】
【請求項１】
外壁に設けた外壁側開口部と、浴室ユニットのユニット側開口部とに渡って形成される浴室出窓であって、該浴室出窓が外壁側開口部に取付ける窓枠サッシと、該窓枠サッシとユニット側開口部との間に配設される出窓枠とで構成され、ユニット側開口部の上端縁、両側縁がそれぞれ外壁側開口部の上端縁、両側縁にほぼ向かい合って位置し、且つ、ユニット側開口部の下端縁が外壁側開口部の下端縁と対向した位置よりも下方にずれて位置し、上記出窓枠の下枠を、該下枠の主体を構成する出窓カウンター部の下面側に浴室ユニット内に開口する収納部を一体に形成することで構成し、ユニット側開口部の下縁部に上記収納部の開口の下縁部が位置していることを特徴とする収納部付浴室出窓の構造。
【請求項２】
出窓枠の上枠の浴室ユニット側の端部と両縦枠の浴室ユニット側の端部、及び、収納部の開口の下縁部に外周フランジ部を設け、該外周フランジ部でユニット側開口部の開口縁部を覆って成ることを特徴とする請求項１記載の収納部付浴室出窓の構造。
【発明の詳細な説明】
【技術分野】
【０００１】
本発明は、収納部付浴室出窓の構造に関するものである。
【背景技術】
【０００２】
外壁に設けた外壁側開口部と、浴室ユニットのユニット側開口部とに渡って形成される浴室出窓は、通常、外壁側開口部に取付ける窓枠サッシと、該窓枠サッシとユニット側開口部との間に配設される出窓枠とで構成される。
【０００３】
このような浴室出窓において、出窓の下方に浴室内に開口する収納部を形成することが特許文献１により知られている。
【０００４】
この特許文献１に示された従来例は、浴室ユニットの壁パネルに形成したユニット側開口部は外壁に形成した外壁側開口部とほぼ同じ大きさをしていて、ユニット側開口部の上端縁、両側縁、下端縁がそれぞれ外壁側開口部の上端縁、両側縁、下端縁にほぼ向かい合って位置している。
【０００５】
そして、浴室ユニットの壁パネルに形成した上記ユニット側開口部の下方に、ユニット側開口部とは別の収納部取付用開口部を形成し、この収納部取付け用開口部に、上記出窓枠とは別体の箱型体を浴室内から嵌め込んで取付けることで収納部を形成するようにしている。
【０００６】
このため、従来にあっては出窓枠が配設されるユニット側開口部と、箱型体を嵌め込む収納部取付用開口部とを別々に形成しなければならず、また、別部材の箱型体が必要で部材点数が増え、また、窓枠の取付け作業、箱型体の嵌め込み取り付け作業がそれぞれ必要となり、止水のためのシール箇所も増える。したがって、上記特許文献１に示された従来例は、構造が複雑になると共に、取付け作業も煩雑となり、コストも高くなるという問題がある。
【先行技術文献】
【特許文献】
【０００７】
【特許文献１】特開２００３−９７０６６号公報
【発明の概要】
【発明が解決しようとする課題】
【０００８】
本発明は上記の従来例の問題点に鑑みて発明したものであって、出窓の下方に浴室内に開口する収納部を形成するに当たって、構造が簡略化し、部材点数が少なく、取付け作業が簡略化し、コストが安くなる収納部付浴室出窓の構造を提供することを課題としている。
【課題を解決するための手段】
【０００９】
上記課題を解決するために、本発明は、以下のような構成になっている。
【００１０】
本発明は、外壁１に設けた外壁側開口部２と、浴室ユニット３のユニット側開口部４とに渡って形成される収納部付浴室出窓の構造である。浴室出窓５は、外壁側開口部２に取付ける窓枠サッシ６と、該窓枠サッシ６とユニット側開口部４との間に配設される出窓枠７とで構成される。本発明の特徴は、ユニット側開口部４の上端縁、両側縁がそれぞれ外壁側開口部２の上端縁、両側縁にほぼ向かい合って位置し、且つ、ユニット側開口部４の下端縁が外壁側開口部２の下端縁と対向した位置よりも下方にずれて位置し、出窓枠７の下枠８を、該下枠８の主体を構成する出窓カウンター部９の下面側に浴室ユニット３内に開口する収納部１０を一体に形成することで構成し、ユニット側開口部４の下縁部に上記収納部１０の開口の下縁部が位置していることである。
【００１１】
このような構成とすることで、浴室ユニット３の壁パネル１４に設けたユニット側開口部４に出窓枠７の浴室側の端部を配設するように取付けて、浴室内に開口する収納部１０を一体に備えた出窓を形成することができ、従来のように、浴室ユニット３に収納部取付用開口部を別に形成してここに収納部となる出窓枠７とは別体の箱型体を嵌め込む必要がない。このように出窓と一体に収納部１０が形成され構造となっているので、部材点数が少なく、取付け作業が簡略化し、コストが安くなる。
【００１２】
また、出窓枠７の上枠１１の浴室側の端部と両縦枠１２の浴室側の端部、及び、収納部１０の開口の下縁部に外周フランジ部１３を設け、該外周フランジ部１３でユニット側開口部４の開口縁部を覆うことが好ましい。
【００１３】
このような構成とすることで、出窓枠７に収納部１０を形成したにもかかわらず、壁パネル１４に形成したユニット側開口部４の開口縁を、上枠１１、縦枠１２部分と同様に収納部１０部分においても外周フランジ部１３で覆って仕舞うことができ、止水のためのシール箇所もユニット側開口部４の開口縁のみのシールでよい。
【発明の効果】
【００１４】
本発明は、上記のように構成したので、出窓と収納部とを形成するに当たって、出窓枠の下枠に収納部が一体に形成してあるので、従来のように収納部取付用開口部を別に形成し、別体の箱型体を嵌め込む必要がなく、この結果構造が簡略化し、また、部材点数が少なく、取付け作業が簡略化し、コストも安くなる。
【図面の簡単な説明】
【００１５】
【図１】本発明の断面図である。
【図２】同上の斜視図である。
【図３】同上の出窓枠の分解斜視図である。
【発明を実施するための形態】
【００１６】
以下、本発明を添付図面に示す実施形態に基いて説明する。
【００１７】
建物内には内部が浴室となった浴室ユニット３が設置される。浴室ユニット３は床パン（図示せず）の外周端部に複数の壁パネル１４を並べて立設し、壁パネル１４で囲まれた部分の上方に天井パネル（図示せず）を配置して天井パネルの端部を壁パネル１４の上端部に接続することで構成される。
【００１８】
上記浴室ユニット３の壁パネル１４にはユニット側開口部４が形成される。ユニット側開口部４は一つの壁パネル１４に形成してもよく、あるいは、隣接する壁パネル１４にわたって形成してもよい。
【００１９】
一方、建物の外壁１には外壁側開口部２が形成される。
【００２０】
上記外壁１に形成した外壁側開口部２と、浴室ユニット３のユニット側開口部４とに渡って浴室出窓５が形成される。
【００２１】
浴室出窓５は、外壁側開口部２に取付ける窓枠サッシ６と、該窓枠サッシ６とユニット側開口部４との間に配設される出窓枠７とで構成される。
【００２２】
上記外壁側開口部２とユニット側開口部４とは屋内外方向に互いに対向するように形成される。
【００２３】
ここで、ユニット側開口部４の横（左右）方向の寸法と、外壁側開口部２の横（左右）方向の寸法はほぼ等しい。一方、ユニット側開口部４の上下方向の寸法は、図１に示すように外壁側開口部２の上下方向の寸法よりも長く設定してある。
【００２４】
そして、上記ユニット側開口部４の上端縁、両側縁がそれぞれ外壁側開口部２の上端縁、両側縁にほぼ向かい合って位置する関係となっており、ユニット側開口部４の下端縁が外壁側開口部２の下端縁と対向した位置よりも下方にずれて位置する。
【００２５】
窓枠サッシ６とユニット側開口部４との間に配設される出窓枠７は、図３に示すような上枠１１、左右両縦枠１２、下枠８を枠組みすることで構成される。
【００２６】
下枠８は、該下枠８の主体を構成する板状をした出窓カウンター部９の下面側に浴室ユニット３内に開口する収納部１０を一体に形成することで構成される。
【００２７】
すなわち、板状をした出窓カウンター部９の下面の屋内外方向の略中間部から下方に奥縦板部１５を長手方向にわたって一体に垂設し、更に、奥縦板部１５の下端から浴室側に下横板部１６を長手方向にわたって一体に突設することで、断面コ字状をした収納部１０を備えた下枠８が構成される。
【００２８】
縦枠１２は下端部に上記収納部１０の左右方向の両端部を遮蔽するための遮蔽側板部１７が一体に垂設してあり、下枠８の左右両端部に縦枠１２の下端部を接合する際、下枠８の遮蔽側板部１７を収納部１０の左右両端部に接合して断面コ字状をした収納部１０の左右両端部を遮蔽する。
【００２９】
出窓枠７の上枠１１の浴室側の端部から上方にフランジ部１３ａを長手方向の全長にわたって一体に突設し、また、両縦枠１２の浴室側の端部から側方にフランジ部１３ｂを一体に突設し、収納部１０の開口の下縁部（下横板部１６の浴室側の端部）から下方にフランジ部１３ｃを一体に突設してある。そして、上記上枠１１と、左右両縦枠１２と、下枠８とを枠組みして出窓枠７を形成することで、上記フランジ部１３ａ、１３ｂ、１３ｂ、１３ｃが四角形状に連続して出窓枠７の浴室側の外周端部に外周フランジ部１３が形成される。
【００３０】
上枠１１、左右両縦枠１２、収納部１０を備えた下枠８は、現場において長手方向の任意の位置で切断することで現場に応じた大きさの収納部１０付きの出窓枠７を組み立て形成することができる。
【００３１】
上記出窓枠７は、前述のように外壁側開口部２に取付ける窓枠サッシ６と、該窓枠サッシ６とユニット側開口部４との間に配設され、出窓枠７の外周フランジ部１３と反対側の端部が窓枠サッシ６の浴室ユニット３側の端部に接続される。また、出窓枠７の外周フランジ部１３がユニット側開口部４の開口縁部を覆うように取付けられる。これにより、出窓枠７に収納部１０を形成したにもかかわらず、壁パネル１４に形成したユニット側開口部４の開口縁を、上枠１１、縦枠１２部分と同様に収納部１０部分においても外周フランジ部１３で覆って仕舞うことができる。
【００３２】
また、外周フランジ部１３の先端と壁パネル１４の表面との間にシール材２０を充填してシール処理を行う。
【００３３】
このように、収納部１０を設けたにもかかわらず、止水のためのシール箇所もユニット側開口部４の開口縁の周囲にシール処理するのみでよい。
【００３４】
なお、図２において符号１９は浴室ユニット３内に設置される浴槽を示し、本実施形態では浴槽１９に沿った壁パネル１４にユニット側開口部４を設けて、収納部１０付きの浴室出窓５を形成した例である。
【符号の説明】
【００３５】
１  外壁
２  外壁側開口部
３  浴室ユニット
４  ユニット側開口部
５  浴室出窓
６  窓枠サッシ
７  出窓枠
８  下枠
９  出窓カウンター部
１０  収納部
１１  上枠
１２  縦枠
１３  外周フランジ部
【図１】
2011006930.tif 000003
【図２】
2011006930.tif 000004
【図３】
2011006930.tif 000005